(57)【要約】【課題】簡単に組み立て又は解体可能な電気焼き器を提供する。【解決手段】モーター７を下部ケース体２に取り付けると、上部ケース体１３が下部ケース体２に取り付けられる。加熱体２６を上部ケース体１３に取り付けると、上部ケース体１３の底部の第２の接続端子部１４がモーター７の第１の接続端子部１０に接続され、加熱体２６の第４の接続端子部３２を上部ケース体１３の第３の接続端子１８に接続され、ヒーター２８へ、電源線３１及びモーター７から電力が供給される。このように、各部品は電線によって互いに連結されていないため、部品を分解し洗浄する場合に非常に便利である。本製品は各部品を連続して取り付けることによって組み立てられ、また部品を一つずつ取り外すことによって分解されるため、製品を組み立て及び分解する場合、ねじを外したりする必要がなく、非常に迅速且つ便利な組み立て及び分解が可能になる。
2004530490.tif 000002
【特許請求の範囲】
【請求項１】
電気焼き器において、
一側に油受け５が滑り自在に結合される下部ケース体２と；
前記下部ケース体２に結合され、上部の中央に吸込ファン８が設けられ、上部の一側に電源が供給されるように第１の接続端子部１０が設けられたモーター７と；
前記下部ケース体２の上部に収められ、内部に中間カバー体ＭＣが結合され、底面の一側に前記第１の接続端子部１０に接続するように第２の接続端子部１４が設けられ、上面に前記第２の接続端子部１４に電気的に接続された第３の接続端子部１８が設けられた上部ケース体１３と；
前記上部ケース体１３内の中間カバー体ＭＣ上に収められる吸込プレートＰと；
前記吸込プレートＰ上に収められ、中央に貫通孔２２が形成され、周りに多数の通気孔２３が形成された集油プレートＯＰと；
上端が前記集油プレートＯＰの貫通孔と連通し、下端が前記油受けの上方に位置するノズル２４と；
ヒーター保持台２７上に千鳥状に配列されてなるヒーター２８と、前記ヒーター保持台２７の両側に設けられ前記ヒーター２８を加熱させる温度調節ノブ３０と、電源線３１等の公知の部品が設けられる把手部２９と、前記把手部２９の一側底面に設けられて前記第３の接続端子部１８に接続され、温度調節ノブ３０及び電源線３１に接続される第４の接続端子部３２と、からなる加熱体２６と；
前記加熱体２６のヒーター２８上に収められ、断面が連続する波形形状を有し、下方への凹所に多数の排油孔３４が等間隔で形成されたグリル３３と；
からなることを特徴とする電気焼き器。
【発明の詳細な説明】
【技術分野】
【０００１】
本発明は電気焼き器に関し、特に、肉等を焼く時に発生する臭いや煙、油、熱気等が外部に拡散しないようにした電気焼き器に関する。
【背景技術】
【０００２】
−般に、家庭や飲食店等では、多数の流入孔が形成されているグリルと、グリルの下方に備えられて流入孔から落ちる油を受ける油受けと、からなる電気焼き器が具備されている。
【０００３】
この種の従来の電気焼き器では、肉等を焼く時に発生する油がグリルの流入孔から下方の油受けに落ちてそこに溜まるが、比較的に多量の油が周りに飛び散って電気焼き器の周辺を汚したり、肉等を焼く時に発生する臭いや煙が室内に拡散して室内の空気を汚染させたりすることで、使用上の不便をもたらした。更に、肉等を焼く時にグリルの熱が室内に放出されることにより肉の焼き上がり時間がかかり過ぎ、その結果、不要な電力消耗につながるという不具合も合った。
【０００４】
かかる問題点を解決するために、本出願人は、肉等を焼く時に発生する油、煙、熱気を吸収し、ろ過してから、再びグリル側に供給し、かかる作用を連続して繰り返すことで電気焼き器の周辺に油や煙、臭い、熱気等が拡散しないようにした電気焼き器を開発するに至った（例えば、特許文献１参照。）。
【０００５】
かかる電気焼き器は、通常、グリルと、ヒーター及び温度調節ノブが含まれた加熱部と、油受けと、モーター、及びこれらの部品が内蔵されるケース体と、からなるが、供給された電源をヒーターに供給し、グリルの温度を適切に調節するように多数の部品が設けられる加熱部と空気を強制に吸い込むモーターが、回路部品及び電線を介して接続されているため、それぞれの部品が簡便に分離できず、この結果、電気焼き器の使用が済んだ後、閉まるに際する各部品の掃除が非常に困難であった。
【特許文献１】
大韓民国登録実用新案公報第２０−０１６５６８８号明細書
【発明の開示】
【発明が解決しようとする課題】
【０００６】
本発明は、前記のような問題を解決するためになされたものであって、その目的は、ネジ止めタイプを用いずグリル、加熱部、モーター及びケース体を簡単に組み立て又は解体できるようにした電気焼き器を提供することである。
【課題を解決するための手段】
【０００７】
前記のような目的を達成するための本発明に係る電気焼き器は、電気焼き器において、一側に油受けが滑り自在に結合される下部ケース体と；前記下部ケース体に結合され、上部の中央に吸込ファンが設けられ、上部の−側に電源が供給されるように第１の接続端子部が設けられたモーターと；前記下部ケース体の上部に収められ、内部に中間カバー体が結合され、底面の一側に前記第１の接続端子部に接続するように第２の接続端子部が設けられ、上面に前妃第２の接続端子部に電気的に接続された第３の接続端子部が設けられた上部ケース体と；前記上部ケース体内の中間カバー体上に収められる吸込プレートと；前記吸込プレート上に収められ中央に貫通孔が形成され、周りに多数の通気孔が形成された集油プレートと；上端が前記集油プレートの貫通孔と連通し、下端が前記油受けの上方に位置するノズルと；ヒーター僅持台上に千鳥状に配列されてなるヒーターと、前記ヒーター保持台の両側に設けられ前記ヒーターを加熱させる温度調節ノブと、電源線等の企知の部品が設けられる把手部と、前記把手部の山側底面に設けられて前記第３の接続端子部に接続され、温度調節ノブ及び電源線に接続される第４の接続端子部と、からなる加熱体と；前記加熱体のヒーター上に収められ、断面が連続する波形形状を有し、下方への凹所に多数の排油孔が等間隔で形成されたグリルと；からなることを特徴とする。
【発明の効果】
【０００８】
従って、本発明に係る電気焼き器によると、下部ケース体にモーターを収め、下部ケース体上に上部ケース体を収め、上部ケース体上に加熱体を収めると、モーターの第１の接続端子部に上部ケース体の底面の第２の接続端子部が接続され、上部ケース体の第３の接続端子部に加熱体の第４の接続端子部が接続されることで電源線から供給される電源がと−ター及びモーターに供給されるため、それぞれの部品が電線を介して互いに接続されていないことからそれぞれの部品の分離及び掃除が非常に便利であり、各部品を順次に収める作業で製品が組み立てられ、逆に一つずつ持ち上げることで分離されるため、製品の解体及び組み立て時にネジを取り外したり締めたりする必要がなく、その結果、解体及び組み立て作業が非常に速やかで且つ便利であるという効果を奏する。
【発明を実施するための最良の形態】
【０００９】
本発明の具体的な特徴及び利点は、添付した図面を参照した以下の説明でより明らかになるはずである。
【実施例１】
【００１０】
図１は、本発明に係る電気焼き器の外観を示す斜視図であり、図２は、その分離斜視図であり、図３は、本発明に係る電気焼き器の結合断面図であって、本発明の電気焼き器は、主に、下部ケース体２と、モーター７と、上部ケース体１３と、吸込プレートＰと、集油プレートＯＰと、加熱体２６、及びグリル３３と、からなる。
【００１１】
下部ケース体２は、その一側に油受けが滑り自在に結合される。
【００１２】
モーター７は、下部ケース体２に結合され、上部の中央には吸込ファン８が連設され、吸込ファン８の上側の周りにはフランジ９が備えられ、フランジ９の両側には、モーター７に電源を供給すべくこれに接続された第１の接続端子部１０が設けられている。
【００１３】
上部ケース体１３は、下部ケース体２の上部に収められ、内部には中間カバー体ＭＣがバーのように第１の接続端子部１０に接続するように第２の接続端子部１４が設けられ、一側の上面には前記第２の接続端子部１４に電線を介して接続された第３の接続端子部１８が設けられている。
【００１４】
ここで、前記第２の接続端子部１４は、第２の結合部１５と、第２の接続端子１６、及び第２のばね１７と、を備える。この第２の結合部は、上部ケース体１３の底からその内方に突設している。また、第２の結合部１５の内部には第２の接続端子１６が設けられている。第２の接続端子１６と第２の結合部１５との間には第２のばね１７が備えられており、第２の結合部１５を下方に付勢する。
【００１５】
そして、第３の接続端子部１８の構成も第２の接続端子部１４の構成と同様であって、第３の結合部１９と、第３の接続端子２０、及び第３のばね、とからなり、上部ケース体１３の上面からその内方に第３の結合部１９が突設しており、第３の結合部１９の内部に第３の接続端子２０が設けられ、第３の接続端子２０と第３の結合部１９との間に第３のばね２１が備えられていて、第３の結合部１９を上方に付勢する。
【００１６】
一方、上部ケース体１３の上部には、吸込プレートＰと集油プレートＯＰが順次に収められるが、集油プレートＯＰは、吸込プレートＰ上に収められ中央に貫通孔２２が形成され、周りに多数の通気孔２３が形成されている。
【００１７】
この集油プレートＯＰに結合されるノズル２４は、上端が前記集油プレートＯＰの貫通孔２２と連通し、下端が前記油受け５の上方に位置する。
【００１８】
このように、上部ケース体１３に吸込プレートＰ、集油プレートＯＰが収められると、その上に加熱体２６とグリル３３が収められ、加熱体２６には、ヒーター保持台２７上に千鳥状に配列されてなるとヒーター２８と、ヒーター保持台２７の両側に設けられた把手部２９が備えられる。
【００１９】
この把手部２９には、ヒーター２８を加熱させる温度調節ノブ３０と、電源線３１及びその他の公知の部品が設けられ、把手部２９の−側底面には第４の接続端子部３２が設けられており、この第４の接続端子部３２は、温度調節ノブ３０と、電源線３１に接続されており、加熱体２６を上部ケース体１３に収める際、第３の接続端子部１８に接続される。
【００２０】
そして、加熱体２６のヒーター２８上に収められるグリル３３は、断面が連続する波形形状を有し、下方への凹所に多数の排油孔３４が等間隔で形成されており、肉等を焼く時に発生した油が速やかに且つスムーズに俳出できるようになっている。
【００２１】
かかる構成の本発明に係る電気焼き器は、下部ケース体２にモーター７を収め、下部ケース体２の上方に上部ケース体１３を収め、上部ケース体１３の上側に吸込プレートＰ、集油プレートＯＰ、加熱体２６、グリル３３を順次に収めていくとその組立が完成する。
【００２２】
このようにそれぞれの部品を順次に収めていくと、モーター７の第１の接続端子部１０に上部ケース体１３の第２の接続端子部１４が接続され、上部ケース体１３の第３の接続端子部１８に加熱体２６の第４の接続端子部３２が接続するため、電源線３１から供給される電源が第４の接続端子部３２を介してヒーター２８に供給されるのみならず、第４の接続端子部３２、第３の接続端子部１８、第２の接続端子部１４、第１の接続端子部１０を介してモーター７に供給される。
【００２３】
従って、本発明の電気焼き器は、各部品間の独特な接続構造により完全に分離してそれぞれの部品を別途にして洗浄することができる。即ち、従来では、各部品間が電線でつながっていたためそれらを相互完全に分離することができず、その結果、各部品の洗浄作業に手間がかかり且つきれいに洗浄できなかったが、本発明の電気焼き器によると、それぞれの部品を完全に分離することができるため各部品の取り扱いが非常に容易である。
【００２４】
また、かかる本発明の電気焼き器は、別のネジ止め作業を不要とするため、本発明の電気焼き器の組立及び分離が非常に便利である。即ち、単に多数の部品を順次に載置することだけで電源線３１の電源がヒーター２８及びモーター７に供給されるように組み立てられ、載置された部品を持ち上げることだけで各部品が分離できるため、本発明の電気焼き器の組み立て及び分離作業が非常に便利である。
【図面の簡単な説明】
【００２５】
【図１】本発明に係る電気焼き器を示す外観斜視図である。
【図２】本発明に係る電気焼き器を示す分離斜視図である。
【図３】図１の断面図である。
【図４】図３の部分拡大断面図である。
【符号の説明】
【００２６】
２  下部ケース体
７  モーター
１０  第１の接続端子部
１３  上部ケース体
１４  第２の接続端子部
１８  第３の接続端子部
ＭＣ  中間カバー体
Ｐ  吸込プレート
ＯＰ  集油プレート
２６  加熱体
３２  第４の接続端子部
３３  グリル
３４  排油孔
【国際公開パンフレット】
2004530490.tif 000003
2004530490.tif 000004
2004530490.tif 000005
2004530490.tif 000006
2004530490.tif 000007
2004530490.tif 000008
2004530490.tif 000009
2004530490.tif 000010
2004530490.tif 000011
2004530490.tif 000012
2004530490.tif 000013
2004530490.tif 000014
2004530490.tif 000015
2004530490.tif 000016
2004530490.tif 000017
【国際調査報告】
2004530490.tif 000018
2004530490.tif 000019